(57)【要約】      （修正有）【課題】電子部品のフレキシブル配線基板への接合部に生じるストレスを減らすこと、あるいは、フレキシブル配線基板を貼りつけるときの粘着性の向上を図る。【解決手段】表示パネル１０にフレキシブル配線基板２０を接合する。フレキシブル配線基板２０を、表示パネル１０と重なる部分を有するように配置する。フレキシブル配線基板２０を、表示パネル１０との接合部と、表示パネル１０と重なる部分と、の間で屈曲させる。フレキシブル配線基板２０の表示パネル１０と重なる部分に電子部品３４を搭載する。フレキシブル配線基板２０を屈曲させた後に、フレキシブル配線基板２０に電子部品３４を搭載する。【選択図】図４
2011108780.tif 000002
【特許請求の範囲】
【請求項１】
表示パネルにフレキシブル配線基板を接合する工程と、
前記フレキシブル配線基板を、前記表示パネルと重なる部分と、前記表示パネルとの接合部及び前記表示パネルと重なる前記部分の間の屈曲部と、を有するように配置する工程と、
前記フレキシブル配線基板の前記表示パネルと重なる前記部分に電子部品を搭載する工程と、
を含み、
前記フレキシブル配線基板を屈曲させた後に、前記フレキシブル配線基板に電子部品を搭載することを特徴とする表示モジュールの製造方法。
【請求項２】
請求項１に記載された表示モジュールの製造方法において、
前記表示パネルに前記フレキシブル配線基板を接合した後に、前記フレキシブル配線基板を屈曲させ、その後、前記フレキシブル配線基板に電子部品を搭載することを特徴とする表示モジュールの製造方法。
【請求項３】
請求項１に記載された表示モジュールの製造方法において、
前記フレキシブル配線基板を屈曲させた後に、前記表示パネルに前記フレキシブル配線基板を接合し、その後、前記フレキシブル配線基板に電子部品を搭載することを特徴とする表示モジュールの製造方法。
【請求項４】
請求項１に記載された表示モジュールの製造方法において、
前記フレキシブル配線基板を屈曲させた後に、前記フレキシブル配線基板に電子部品を搭載し、その後、前記表示パネルに前記フレキシブル配線基板を接合することを特徴とする表示モジュールの製造方法。
【請求項５】
請求項１から４のいずれか１項に記載された表示モジュールの製造方法において、
前記表示パネルは、フレームと重なった状態で用意され、
前記フレキシブル配線基板を前記表示パネルと重なる前記部分を有するように配置する前記工程は、前記フレキシブル配線基板を前記フレームに貼り付けることを含むことを特徴とする表示モジュールの製造方法。
【請求項６】
請求項１から５のいずれか１項に記載された表示モジュールの製造方法において、
前記フレキシブル配線基板に電子部品を搭載する前に、前記フレキシブル配線基板を前記表示パネルと重なる位置で折り返す工程をさらに含み、
前記電子部品を、前記フレキシブル配線基板の折り返して重ねられた最も上に位置する部分に搭載することを特徴とする表示モジュールの製造方法。
【請求項７】
フレキシブル配線基板を、表示パネルに重なって配置されたフレームに重ねて貼り付ける工程と、
前記フレキシブル配線基板の前記フレームと重なる部分に電子部品を搭載する工程と、
前記フレキシブル配線基板を、前記表示パネルと接合するための部分と、前記フレームに貼り付けられた部分と、の間で屈曲させる工程と、
前記表示パネルに前記フレキシブル配線基板を接合する工程と、
を含み、
前記フレキシブル配線基板を前記フレームに貼り付けた後に、前記フレキシブル配線基板に電子部品を搭載し、その後、前記フレキシブル配線基板を屈曲させることを特徴とする表示モジュールの製造方法。
【請求項８】
請求項７に記載された表示モジュールの製造方法において、
前記フレキシブル配線基板を前記フレームに貼り付ける前記工程は、前記フレキシブル配線基板の前記フレームと重なる前記部分の一部を貼り付け、前記フレームに貼り付けられた前記部分を少なくとも除いた部分を折り返すことを含み、
前記電子部品を、前記フレキシブル配線基板の折り返して重ねられた最も上に位置する部分に搭載することを特徴とする表示モジュールの製造方法。
【請求項９】
表示パネルと、
前記表示パネルと重なって配置されたフレームと、
前記表示パネルに接合されたフレキシブル配線基板と、
前記フレキシブル配線基板に搭載された電子部品と、
を有し、
前記フレキシブル配線基板は、前記表示パネルとの接合部から引き出され、屈曲して前記フレームと重なる位置に引き出され、前記フレーム上で折り返されて引き出されることで、前記フレームに貼り付けられた第１部分と、前記第１部分に貼り付けられた第２部分と、を含み、
前記電子部品は、前記第２部分に搭載されていることを特徴とする表示モジュール。
【発明の詳細な説明】
【技術分野】
【０００１】
本発明は、表示モジュール及びその製造方法に関する。
【背景技術】
【０００２】
液晶表示パネルにフレキシブル配線基板を取り付けて、フレキシブル配線基板に電子部品を搭載した構造が周知である（特許文献１）。フレキシブル配線基板は、折り曲げられて、液晶表示パネルの端部から裏側に回り込むようになっている。
【先行技術文献】
【特許文献】
【０００３】
【特許文献１】特許第３７９２５５４号公報
【発明の概要】
【発明が解決しようとする課題】
【０００４】
従来、フレキシブル配線基板を折り曲げるときに、電子部品の接合部にストレスが生じて電子部品が剥離するおそれがあったので、その折り曲げ作業を慎重に行う必要があった。また、折り曲げられたフレキシブル配線基板を液晶表示パネル又はそのフレームに両面テープなどで貼り付けるときに、電子部品を避けてフレキシブル配線基板を押える必要があり、押えられない部分の粘着性が低かった。
【０００５】
本発明は、電子部品のフレキシブル配線基板への接合部に生じるストレスを減らすこと、あるいは、フレキシブル配線基板を貼り付けるときの粘着性を向上することを目的とする。
【課題を解決するための手段】
【０００６】
（１）本発明に係る表示モジュールの製造方法は、表示パネルにフレキシブル配線基板を接合する工程と、前記フレキシブル配線基板を、前記表示パネルと重なる部分と、前記表示パネルとの接合部及び前記表示パネルと重なる前記部分の間の屈曲部と、を有するように配置する工程と、前記フレキシブル配線基板の前記表示パネルと重なる前記部分に電子部品を搭載する工程と、を含み、前記フレキシブル配線基板を屈曲させた後に、前記フレキシブル配線基板に電子部品を搭載することを特徴とする。本発明によれば、フレキシブル配線基板に電子部品を搭載するときには既にフレキシブル配線基板が屈曲しているので、電子部品のフレキシブル配線基板への接合部にストレスが生じない。
【０００７】
（２）（１）に記載された表示モジュールの製造方法において、前記表示パネルに前記フレキシブル配線基板を接合した後に、前記フレキシブル配線基板を屈曲させ、その後、前記フレキシブル配線基板に電子部品を搭載することを特徴としてもよい。
【０００８】
（３）（１）に記載された表示モジュールの製造方法において、前記フレキシブル配線基板を屈曲させた後に、前記表示パネルに前記フレキシブル配線基板を接合し、その後、前記フレキシブル配線基板に電子部品を搭載することを特徴としてもよい。
【０００９】
（４）（１）に記載された表示モジュールの製造方法において、前記フレキシブル配線基板を屈曲させた後に、前記フレキシブル配線基板に電子部品を搭載し、その後、前記表示パネルに前記フレキシブル配線基板を接合することを特徴としてもよい。
【００１０】
（５）（１）から（４）のいずれか１項に記載された表示モジュールの製造方法において、前記表示パネルは、フレームと重なった状態で用意され、前記フレキシブル配線基板を前記表示パネルと重なる前記部分を有するように配置する前記工程は、前記フレキシブル配線基板を前記フレームに貼り付けることを含むことを特徴としてもよい。
【００１１】
（６）（１）から（５）のいずれか１項に記載された表示モジュールの製造方法において、前記フレキシブル配線基板に電子部品を搭載する前に、前記フレキシブル配線基板を前記表示パネルと重なる位置で折り返す工程をさらに含み、前記電子部品を、前記フレキシブル配線基板の折り返して重ねられた最も上に位置する部分に搭載することを特徴としてもよい。
【００１２】
（７）本発明に係る表示モジュールの製造方法は、フレキシブル配線基板を、表示パネルに重なって配置されたフレームに重ねて貼り付ける工程と、前記フレキシブル配線基板の前記フレームと重なる部分に電子部品を搭載する工程と、前記フレキシブル配線基板を、前記表示パネルと接合するための部分と、前記フレームに貼り付けられた部分と、の間で屈曲させる工程と、前記表示パネルに前記フレキシブル配線基板を接合する工程と、を含み、前記フレキシブル配線基板を前記フレームに貼り付けた後に、前記フレキシブル配線基板に電子部品を搭載し、その後、前記フレキシブル配線基板を屈曲させることを特徴とする。本発明によれば、フレキシブル配線基板をフレームに貼り付けるときには、未だ電子部品が搭載されていないので、フレキシブル配線基板をフレームに押し付けて貼り付けることができ、粘着性を向上させることができる。
【００１３】
（８）（７）に記載された表示モジュールの製造方法において、前記フレキシブル配線基板を前記フレームに貼り付ける前記工程は、前記フレキシブル配線基板の前記フレームと重なる前記部分の一部を貼り付け、前記フレームに貼り付けられた前記部分を少なくとも除いた部分を折り返すことを含み、前記電子部品を、前記フレキシブル配線基板の折り返して重ねられた最も上に位置する部分に搭載することを特徴としてもよい。
【００１４】
（９）本発明に係る表示モジュールは、表示パネルと、前記表示パネルと重なって配置されたフレームと、前記表示パネルに接合されたフレキシブル配線基板と、前記フレキシブル配線基板に搭載された電子部品と、を有し、前記フレキシブル配線基板は、前記表示パネルとの接合部から引き出され、屈曲して前記フレームと重なる位置に引き出され、前記フレーム上で折り返されて引き出されることで、前記フレームに貼り付けられた第１部分と、前記第１部分に貼り付けられた第２部分と、を含み、前記電子部品は、前記第２部分に搭載されていることを特徴とする。
【図面の簡単な説明】
【００１５】
【図１】本発明の第１の実施形態に係る表示モジュールの製造方法を説明する図である。
【図２】本発明の第１の実施形態に係る表示モジュールの製造方法を説明する図である。
【図３】本発明の第１の実施形態に係る表示モジュールの製造方法を説明する図である。
【図４】本発明の第１の実施形態に係る表示モジュールの製造方法を説明する図である。
【図５】本発明の第１の実施形態に係る表示モジュールを示す底面図である。
【図６】第１の実施形態に係る表示モジュールの製造方法の変形例１を説明する図である。
【図７】第１の実施形態に係る表示モジュールの製造方法の変形例１を説明する図である。
【図８】第１の実施形態に係る表示モジュールの製造方法の変形例１を説明する図である。
【図９】第１の実施形態に係る表示モジュールの製造方法の変形例２を説明する図である。
【図１０】第１の実施形態に係る表示モジュールの製造方法の変形例２を説明する図である。
【図１１】第１の実施形態に係る表示モジュールの製造方法の変形例２を説明する図である。
【図１２】本発明の第２の実施形態に係る表示モジュールの製造方法を説明する図である。
【図１３】本発明の第２の実施形態に係る表示モジュールの製造方法を説明する図である。
【図１４】本発明の第２の実施形態に係る表示モジュールの製造方法を説明する図である。
【図１５】本発明の第３の実施形態に係る表示モジュールの製造方法を説明する図である。
【図１６】本発明の第３の実施形態に係る表示モジュールの製造方法を説明する図である。
【図１７】本発明の第４の実施形態に係る表示モジュールの製造方法を説明する図である。
【図１８】本発明の第４の実施形態に係る表示モジュールの製造方法を説明する図である。
【図１９】本発明の第４の実施形態に係る表示モジュールの製造方法を説明する図である。
【図２０】本発明の第４の実施形態に係る表示モジュールの製造方法を説明する図である。
【発明を実施するための形態】
【００１６】
以下、本発明の実施形態について、図面を参照して説明する。本実施形態では、表示装置として液晶表示装置を例に挙げて説明するが、本発明はこれに限定されるものではなく、有機エレクトロルミネッセンス表示装置、プラズマディスプレイ装置、電界放出ディスプレイ装置などに適用することも可能である。
【００１７】
［第１の実施形態］
図１〜図４は、本発明の第１の実施形態に係る表示モジュールの製造方法を説明する図である。
【００１８】
本実施形態では、表示パネル１０を用意する。本実施形態では、表示パネル１０は、液晶表示パネルであって、一対の基板１２，１４（例えばガラス基板）及びその間に介在する図示しない液晶を有する。駆動方式は、ＩＰＳ（In Plane Switching）方式、ＴＮ（Twisted Nematic）方式又はＶＡ（Vertical Alignment）方式などいずれの方式であってもよく、方式に応じた電極及び配線が形成される。一方の基板１２には集積回路チップ１６が搭載されている。
【００１９】
表示パネル１０は、フレーム１８と重なった状態で用意する。フレーム１８は、樹脂で構成されていてもよいし、金属から構成されていてもよい。
【００２０】
図１に示すように、表示パネル１０にフレキシブル配線基板２０を接合する。接合は、電気的な接続を含み、半田を使用してもよい。詳しくは、フレキシブル配線基板２０の図示しない端子と、表示パネル１０の図示しない端子を電気的に接続する。また、表示パネル１０とフレキシブル配線基板２０は、機械的にも接続する。
【００２１】
図２に示すように、フレキシブル配線基板２０を、表示パネル１０と重なる部分（後述する第１部分２６）と、表示パネル１０との接合部及び表示パネル１０と重なる部分（第１部分２６）の間の屈曲部と、を有するように配置する。本実施形態では、フレキシブル配線基板２０は、第１屈曲部２２及び第２屈曲部２４を有する。
【００２２】
第１屈曲部２２は、フレキシブル配線基板２０の表示パネル１０との接合部の隣で屈曲する部分である。フレキシブル配線基板２０は表示パネル１０の一方の基板１２の一方の面に接合されており、表示パネル１０から外方向に引き出された部分が、その基板１２の他方の面の方向に屈曲することで第１屈曲部２２が形成されている。第１屈曲部２２から、表示パネル１０との接合部とは反対方向に延びる部分が、表示パネル１０の下方（表示パネル１０と重なる空間）に延びることで第２屈曲部２４が形成されている。第２屈曲部２４から、表示パネル１０との接合部とは反対方向に延びる部分が、表示パネル１０と重なる部分（第１部分２６）である。本実施形態では、表示パネル１０と重なる部分（第１部分２６）はフレーム１８とも重なる。
【００２３】
本実施形態は、フレキシブル配線基板２０を、表示パネル１０との接合部と、表示パネル１０と重なる部分（第１部分２６）と、の間で屈曲させる工程を含む。この工程は、表示パネル１０にフレキシブル配線基板２０を接合した後に行う。
【００２４】
本実施形態は、フレキシブル配線基板２０を、表示パネル１０と重なる第１部分２６を有するように配置する工程を含む。この工程では、フレキシブル配線基板２０を、両面テープなどの粘着部材２８を介してフレーム１８に貼り付ける。この貼り付けでは、フレキシブル配線基板２０を粘着部材２８の方向に押しつける。
【００２５】
図３に示すように、フレキシブル配線基板２０を表示パネル１０と重なる位置で折り返す。詳しくは、フレキシブル配線基板２０の、屈曲部（第２屈曲部２４）を挟んで、表示パネル１０との接合部とは反対側の部分を、屈曲部（第２屈曲部２４）の方向に折り返す。これにより、フレキシブル配線基板２０は、表示パネル１０と重なる第１部分２６の上に、さらに表示パネル１０と重なる第２部分３０を有するようになる。すなわち、フレキシブル配線基板２０は、表示パネル１０と重なる位置で、相互に重なる複数の部分（第１部分２６及び第２部分３０）を有する。第１部分２６及び第２部分３０の間には第２粘着部材３２を介して粘着させ、表面側に位置する第２部分３０を、第１部分２６に貼り付けてもよい。この貼り付けでも、フレキシブル配線基板２０を第２粘着部材３２の方向に押しつける。
【００２６】
図４に示すように、フレキシブル配線基板２０の表示パネル１０と重なる部分（第２部分３０）に電子部品３４を搭載する。本実施形態では、電子部品３４は、フレキシブル配線基板２０の折り返して重ねられた最も上に位置する第２部分３０に搭載する。この工程は、フレキシブル配線基板２０を屈曲させた後に行う。また、この工程は、フレキシブル配線基板２０を表示パネル１０と重なる位置で折り返した後に行う。
【００２７】
本実施形態によれば、フレキシブル配線基板２０に電子部品３４を搭載するとき（図４参照）には既にフレキシブル配線基板２０が屈曲しているので、電子部品３４のフレキシブル配線基板２０への接合部にストレスが生じない。また、フレキシブル配線基板２０をフレーム１８に貼り付けるとき（図２及び図３参照）には未だ電子部品３４が搭載されていないので、電子部品３４に影響を与えることなく、フレキシブル配線基板２０を押さえて貼り付けることができる。
【００２８】
図５は、本実施形態に係る表示モジュールを示す底面図である。図５に示す表示モジュールは、上述した方法によって製造されたものである。
【００２９】
表示モジュールは、表示パネル１０と、表示パネル１０と重なって配置されたフレーム１８と、表示パネル１０に接合されたフレキシブル配線基板２０と、フレキシブル配線基板２０に搭載された電子部品３４と、を有する。これらの詳細については上述した通りである。
【００３０】
フレキシブル配線基板２０は、図４に示すように、表示パネル１０との接合部から引き出され、屈曲してフレーム１８と重なる位置に引き出され、フレーム１８上で折り返されて引き出されている。これにより、フレキシブル配線基板２０は、フレーム１８に貼り付けられた第１部分２６と、第１部分２６に貼り付けられた第２部分３０と、を含む。１つ又は複数の電子部品３４が、第２部分３０に搭載されている。さらに、フレキシブル配線基板２０は、第２部分３０から、第１部分２６とは反対方向に延びる第３部分３６を含む。第３部分３６は、第１部分２６からはみ出しており、表示パネル１０及びフレーム１８と重ならない。第３部分３６にも電子部品３４が搭載されている。また、第２部分３０が第１部分２６の一部を避けた形状であるため、図５には示されていないが、第１部分２６の第２部分３０から露出する領域上にも電子部品３４を搭載してもよい。
【００３１】
［変形例１］
図６〜図８は、第１の実施形態に係る表示モジュールの製造方法の変形例１を説明する図である。
【００３２】
本変形例では、図６に示すようにフレキシブル配線基板１２０を表示パネル１０（図１参照）に接合し、図７に示すようにフレキシブル配線基板１２０を屈曲させ、図８に示すようにフレキシブル配線基板１２０に電子部品３４を搭載する。本変形例では、上記第１の実施形態とは異なり、フレキシブル配線基板１２０を折り返す工程がない。したがって、フレキシブル配線基板１２０は、表示パネル１０及びフレーム１８と重なる領域において、複数の部分が相互に重なるようにはなっていない。この点を除き、その他の詳細は、第１の実施形態で説明した内容が該当する。
【００３３】
［変形例２］
図９〜図１１は、第１の実施形態に係る表示モジュールの製造方法の変形例２を説明する図である。
【００３４】
本変形例では、図９に示すように、フレキシブル配線基板２０を表示パネル１０（図１参照）に接合してフレキシブル配線基板２０を屈曲させる。その後、図１０に示すように折り返し、図１１に示すようにフレキシブル配線基板２０に電子部品３４を搭載する。
【００３５】
本変形例では、フレキシブル配線基板２０は、折り返しによって第１部分２６と第２部分３０が重なり、第１部分２６とは反対側で第２部分３０に接続する第３部分３６が、第１部分２６との重複領域からはみ出すように突出している。電子部品３４は、フレキシブル配線基板２０の第１部分２６及び第３部分３６には搭載されているが、第２部分３０には搭載されていない。この点を除き、その他の詳細は、第１の実施形態で説明した内容が該当する。
【００３６】
［第２の実施形態］
図１２〜図１４は、本発明の第２の実施形態に係る表示モジュールの製造方法を説明する図である。本実施形態で使用する部材は、第１の実施形態で説明した内容が該当する。
【００３７】
図１２に示すように、フレキシブル配線基板２０を屈曲させる。屈曲とは、詳しくは、フレキシブル配線基板２０の第１部分２６をフレーム１８に重ねて、フレーム１８からはみ出した部分を、表示パネル１０に近づく方向に屈曲させることである。これにより形成された屈曲部は、第１の実施形態で説明した第２屈曲部２４に相当する。なお、屈曲の前に、フレキシブル配線基板２０の第１部分２６をフレーム１８に貼り付けておけば、屈曲プロセスが容易になる。また、第２部分３０を折り返してもよく、これを第１部分２６に貼り付けてもよい。
【００３８】
図１３に示すように、表示パネル１０にフレキシブル配線基板２０を接合する。その前に、第１の実施形態で説明した第１屈曲部２２を形成するように、フレキシブル配線基板２０を屈曲させる。
【００３９】
図１４に示すように、フレキシブル配線基板２０に電子部品３４を搭載する。その他の詳細は、第１の実施形態で説明した内容が該当する。
【００４０】
本実施形態でも、フレキシブル配線基板２０に電子部品３４を搭載するときには既にフレキシブル配線基板２０が屈曲しているので、電子部品３４のフレキシブル配線基板２０への接合部にストレスが生じない。また、フレキシブル配線基板２０をフレーム１８に貼り付けるときには未だ電子部品３４が搭載されていないので、電子部品３４に影響を与えることなく、フレキシブル配線基板２０を押さえて貼り付けることができる。
【００４１】
［第３の実施形態］
図１５〜図１６は、本発明の第３の実施形態に係る表示モジュールの製造方法を説明する図である。本実施形態で使用する部材は、第１の実施形態で説明した内容が該当する。
【００４２】
図１５に示すように、フレキシブル配線基板２０を屈曲させる。屈曲とは、詳しくは、フレキシブル配線基板２０の第１部分２６をフレーム１８に重ねて、フレーム１８からはみ出した部分を、表示パネル１０に近づく方向に屈曲させることである。これにより形成され屈曲部は、第１の実施形態で説明した第２屈曲部２４に相当する。なお、屈曲の前に、フレキシブル配線基板２０の第１部分２６をフレーム１８に貼り付けておけば、屈曲プロセスが容易になる。また、第２部分３０を折り返してもよく、これを第１部分２６に貼り付けてもよい。
【００４３】
図１６に示すように、フレキシブル配線基板２０に電子部品３４を搭載する。その後、表示パネル１０にフレキシブル配線基板２０を接合する（図４参照）。その他の詳細は、第１の実施形態で説明した内容が該当する。
【００４４】
本実施形態でも、フレキシブル配線基板２０に電子部品３４を搭載するときには既にフレキシブル配線基板２０が屈曲しているので、電子部品３４のフレキシブル配線基板２０への接合部にストレスが生じない。また、フレキシブル配線基板２０をフレーム１８に貼り付けるときには未だ電子部品３４が搭載されていないので、電子部品３４に影響を与えることなく、フレキシブル配線基板２０を押さえて貼り付けることができる。
【００４５】
［第４の実施形態］
図１７〜図２０は、本発明の第４の実施形態に係る表示モジュールの製造方法を説明する図である。本実施形態で使用する部材は、第１の実施形態で説明した内容が該当する。
【００４６】
図１７に示すように、フレキシブル配線基板２０を、表示パネル１０に重なって配置されたフレーム１８に貼り付ける。詳しくは、フレキシブル配線基板２０の、フレーム１８と重なる部分の一部を貼り付ける。貼り付けには粘着部材２８を使用してもよい。
【００４７】
図１８に示すように、フレキシブル配線基板２０の、フレーム１８に貼り付けられた部分を少なくとも除いた部分を折り返す。折り返した第２部分３０は、第２粘着部材３２によってその下の第１部分２６に貼り付ける。
【００４８】
図１９に示すように、フレキシブル配線基板２０のフレーム１８と重なる部分（第１部分２６及び第２部分３０の少なくとも一方）に電子部品３４を搭載する。図１９の例では、電子部品３４は、フレキシブル配線基板２０の折り返して重ねられた最も上に位置する部分（第２部分３０）に搭載する。
【００４９】
図２０に示すように、フレキシブル配線基板２０を、表示パネル１０と接合するための部分と、フレーム１８に貼り付けられた部分と、の間で屈曲させる。そして、表示パネル１０にフレキシブル配線基板２０を接合する。接合の詳細は、第１の実施形態で図１を参照して説明した内容が該当する。また、その他の詳細も、第１の実施形態で説明した内容が該当する。
【００５０】
本実施形態によれば、フレキシブル配線基板２０をフレーム１８に貼り付けるときには、未だ電子部品３４が搭載されていないので、フレキシブル配線基板２０をフレーム１８に押し付けて貼り付けることができ、粘着性を向上させることができる。
【００５１】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００５２】
１０  表示パネル、１２  基板、１４  基板、１６  集積回路チップ、１８  フレーム、２０  フレキシブル配線基板、２２  第１屈曲部、２４  第２屈曲部、２６  第１部分、２８  粘着部材、３０  第２部分、３２  第２粘着部材、３４  電子部品、３６  第３部分。
【図１】
2011108780.tif 000003
【図２】
2011108780.tif 000004
【図３】
2011108780.tif 000005
【図４】
2011108780.tif 000006
【図５】
2011108780.tif 000007
【図６】
2011108780.tif 000008
【図７】
2011108780.tif 000009
【図８】
2011108780.tif 000010
【図９】
2011108780.tif 000011
【図１０】
2011108780.tif 000012
【図１１】
2011108780.tif 000013
【図１２】
2011108780.tif 000014
【図１３】
2011108780.tif 000015
【図１４】
2011108780.tif 000016
【図１５】
2011108780.tif 000017
【図１６】
2011108780.tif 000018
【図１７】
2011108780.tif 000019
【図１８】
2011108780.tif 000020
【図１９】
2011108780.tif 000021
【図２０】
2011108780.tif 000022